(57)【要約】【課題】水耕栽培は、水耕栽培用発泡スチロール定植パネル（植栽用のウレタンマットを挿入するパネル）に植物を定植し、栽培する方法であり、この水耕栽培において、必要とする技術の一つが、地上部植物体（植物）葉面の濡れ、蒸れ、菌による各種病気の発生を防止するための空気の送風である。しかしながら、現状では、市場に流通されていない。【解決手段】  植栽用のウレタンマット用の挿入孔を多数配備した植栽パネルにおいて、パネル本体に配備する空気道と、空気道に繋がる開口等を形成し、通路の開口がパネル本体の表面に至ることで、パネル本体の表面に空気を供給可能とし、供給された空気を、植栽する植物の葉面裏に至らしめる植栽パネルであり、通気性を備えた植栽パネルを提供し、植物の葉面の裏側の気孔に向かって、空気を送り得る。【選択図】      図１
2019146540.tif 000002
【特許請求の範囲】
【請求項１】
植栽用のウレタンマット用の挿入孔を多数配備した植栽パネル（水耕パネル）において、
パネル本体に配備する空気道と、この空気道に繋がる通路、又は開口を形成し、この通路の開口が前記パネル本体の表面に至ることで、このパネル本体の表面に空気を供給可能とし、この供給された空気を、植栽する植物の葉面裏に至らしめることを特徴とする植栽パネル。
【請求項２】
前記空気道は、前記パネル本体の全体に配備する請求項１に記載の植栽パネル。
【請求項３】
前記空気道の通路の開口は、前記ウレタンマット用の挿入孔の近傍に配備する請求項１に記載の植栽パネル。
【請求項４】
前記空気道は、パネル本体に埋設されている請求項１〜請求項３の何れか一項に記載の植栽パネル。
【請求項５】
前記空気道は、前記植栽パネルに設けた空気槽、管体、又は筐体の部屋である請求項１〜請求項４の何れか一項に記載の植栽パネル。
【請求項６】
前記通路には、不織性シート、又はフィルムシートの通気性素材を繋ぐ構成とした請求項１〜請求項５の何れか一項に記載の植栽パネル。
【請求項７】
前記空気は、温度調整済である請求項１に記載の植栽パネル。
【請求項８】
前記植栽パネルは、少なくとも、隣設する植栽パネルを、連結具で繋ぎ、前記空気を活用する請求項１に記載の植栽パネル。
【発明の詳細な説明】
【技術分野】
【０００１】
本発明は、地上部植物体葉面に空気送風を可能とした植栽パネル（水耕パネル）に関する。
【背景技術】
【０００２】
水耕栽培は、水耕栽培用発泡スチロール定植パネル（植栽用のウレタンマットを挿入するパネル）に植物を定植し、栽培する方法であり、この水耕栽培において、必要とする技術の一つが、地上部植物体（植物）葉面の濡れ、蒸れ、菌による各種病気の発生を防止するための空気の送風である。しかしながら、現状では、市場に流通されていないと思われる。
【０００３】
そして、この空気供給に触れている先行文献として、例えば、特開２０１４−１１７２４５号公報が挙げられる。この文献では、人工光源を利用し、植物、及び／又は、培地への光源発熱回避を意図する発明であり、一例として、人工光源と、反射シートとの活用で、その目的を達成することにある。その内容の中で、段落００６６〜段落００６８において、エアーホース８を介して、栽培養液、又は空気を供給するとの記載がある。しかし、この記載は、単なる、言葉の説明であり、実際の目的と、その構造に関しての説明は見当たらない。
【０００４】
【特許文献１】特開２０１４−１１７２４５号公報
【発明の概要】
【発明が解決しようとする課題】
【０００５】
本発明は、植物の葉面の裏側の気孔に向かって、空気を送ることで、この気孔の開き促進、育成促進とか、ハウスの育成不均一解消、収穫量促進を図ること等を意図する。そのための手段として、通気性を備えた植栽パネルを提供する。以下に説明する構造の植栽パネルは、前記意図を達成するには、最適であって、しかも低コストで、手間を要せず実用に供する。
【課題を解決するための手段】
【０００６】
本発明は、植物の葉面の裏側の気孔に向かって、空気を送ることができる植栽パネルを提供する。
【０００７】
この植栽パネルは、請求項１−８に示した構造である。
【発明の効果】
【０００８】
請求項１で開示する発明は、植栽用のウレタンマット用の挿入孔を多数配備した植栽パネル（水耕パネル）において、
パネル本体に配備する空気道と、この空気道に繋がる通路、又は開口を形成し、この通路の開口が前記パネル本体の表面に至ることで、このパネル本体の表面に空気を供給可能とし、この供給された空気を、植栽する植物の葉面裏に至らしめる植栽パネルとする。
【０００９】
これによって、通気性を備えた植栽パネルを提供し、植物の葉面の裏側の気孔に向かって、空気を送り得ることで、この気孔の開き促進、育成促進とか、ハウスの育成不均一解消、収穫量促進が図れること等の効果がある。そして、この植栽パネルは、前記意図を達成するには、最適であって、しかも低コストで、手間を要せず実用に供し得る実益を備える。
【００１０】
請求項２で開示する発明は、前記空気道は、前記パネル本体の全体に配備する植栽パネルである。
【００１１】
これによって、請求項１の意図を達成できる空気道の構造を提供できる。
【００１２】
請求項３で開示する発明は、前記空気道の通路の開口は、前記ウレタンマット用の挿入孔の近傍に配備する植栽パネルである。
【００１３】
これによって、請求項１の意図を達成できる空気道の通路の開口の構造を提供できる。
【００１４】
請求項４で開示する発明は、前記空気道は、パネル本体に埋設されている植栽パネルである。
【００１５】
これによって、請求項１の意図を達成できる空気道の構造を提供できる。
【００１６】
請求項５で開示する発明は、前記空気道は、前記植栽パネルに設けた空気槽、管体、又は筐体の部屋である植栽パネルである。
【００１７】
これによって、請求項１の意図を達成できる空気道の構造を提供できる。
【００１８】
請求項６で開示する発明は、前記通路は、不織性シート、又はフィルムシートの通気性素材とする植栽パネルである。
【００１９】
これによって、請求項１の意図を達成できる通路の構造を提供できる。
【００２０】
請求項７で開示する発明は、前記空気は、温度調整済である植栽パネルである。
【００２１】
これによって、請求項１の効果等の達成と、植物の育成環境確保と、最小限度の温度管理も可能となり重宝する。
【００２２】
請求項８で開示する発明は、前記植栽パネルは、少なくとも、隣設する植栽パネルを、連結具で繋ぎ、前記空気を活用する植栽パネルである。
【００２３】
これによって、請求項１の意図を達成できる空気環境の維持に有効である
【図面の簡単な説明】
【００２４】
【図１】植栽用のウレタンマット用の挿入孔を多数配備した植栽パネルと、空気道（空気供給手段）を備えた第１実施例の水耕栽培装置（システム）の断面図
【図２】第１実施例の植栽パネルの一部欠截の俯瞰斜視図
【図３】植栽用のウレタンマット用の挿入孔を多数配備した植栽パネルと、空気道（空気供給手段）を備えた第２実施例の水耕栽培装置（システム）の断面図
【図４】第２実施例の植栽パネルの俯瞰斜視図
【図５】植栽パネルと、その関連道具とを示し、かつ使用状態の一例を示した俯瞰平面図
【図６−１】図５において下側より視た正面図
【図６−２】図５において向って右側より視た側面図
【図７−１】図５のＡ−Ａ断面図
【図７−２】図５のＢ−Ｂ断面図
【図７−３】図５のＣ−Ｃ断面図
【図７−４】図５のＤ−Ｄ断面図
【発明を実施するための形態】
【００２５】
以下、本発明の好ましい、一例を説明する。
【００２６】
図１と図２に示した、第１実施例では、板状の植栽パネル１は、栽培床Ａに設けられており、この植栽パネル１の下側の栽培床Ａに養液Ｂが供給される。養液Ｂに植物Ｃの根が接触することで、養分が供給される。順調に、栽培される。
【００２７】
この植栽パネル１は、発泡スチロール定植パネルであって、植栽用のウレタンマット用の挿入孔１０１…………（原則として、１０１とする）が多数配備されており、この挿入孔１００は、表面１ａから裏面１ｂに開口されている。そして、この挿入孔１０１には、播種した植栽用のウレタンマットＤが挿入される。
【００２８】
植栽パネル１のパネル本体１００には、空気を複数箇所に送るための空気道２…………（原則として、２とする）が形成されており、望ましくは、空気道２は、挿入孔１０１の近傍がよい（但し、限定されない。他の構造でも同じである）。
【００２９】
第１実施例では、空気道２は、植栽パネル１の上に設けたフィルムシート３であり、このフィルムシート３は、表面３ａから裏面３ｂに到る多数個の通気孔３００…………（３００）を備えていることが特徴である。従って、植栽パネル１の略全体に空気を送ることができる。また、図示しないが、このフィルムシート３の所定箇所を、隠蔽し、例えば、植栽する植物Ｃの葉面Ｃ１裏に集中的に、供給することも可能である。その効果は、前述の通りである。
【００３０】
この第１実施例における空気の流れを説明すると、パイプ５から、植栽パネル１のパネル本体１００の空気道２に送られた空気は、空気道２の上部の開口６（通路等）より、例えば、直接、フィルムシート３に到る（場合により、パネル本体１００に開設した空気通路「図示せず」を介して、フィルムシート３に到る）。その後、空気は、通気孔３００から、微風となって植栽する植物Ｃの葉面Ｃ１裏に供給される。
【００３１】
第１実施例では、例えば、パネル本体１００の空気道２を隠蔽することなく、フィルムシート３を設けたことで、構造が簡単であり、作業、清掃、又は取換え等の簡便化と、低コスト化、又は従来の植栽パネル（図示せず）の有効利用が図れることも考えられる。
【００３２】
また、このパネル本体１００の上に、フィルムシート３を付設する構造では、従来の現場サイドでの課題解決となる。即ち、従来の水耕栽培においては、空気の送風は行われておらず、近年ダクトを用いてダクトに適当な大きさ、数の孔を開けて送風し、植物に、ストレスを与えることがない微風（優しい風）を送風し、植物体の病気を防ぐ方法が考案されている。しかしながら、この種の水耕パネルでは、一般的に、栽培する植物により、植栽パネル１枚の大きさは同じでも、使用枚数、孔の数が違っている為に、現地現場に合わせて作業する必要があり、労力、時間がかかりコストもかかる。この問題の解決手段として、第１実施例は、パネル本体１００の空気道２と、フィルムシート３とによる空気の供給方式であり、構造が簡単であって、かつ送風ダクトの孔等の面倒な作業がなくなり、合理的であって、しかも収穫作業においてもダクトが無く手際よく行えること等が考えられる。
【００３３】
次に、図３と図４との第２実施例は、不織性シート３０（不織布シート）を採用した例であり、使用方法と効果等は前述の例に準ずる。そして、望ましくは、表面に不通気孔素材を展着し、通気孔数を調整することが望ましい（他の実施例も同じ）。図中、不織性シート３０の３０ａは表面、同３０ｂは裏面を示す。
【００３４】
図５〜図７−４は、植栽パネル１の空気道２への空気の供給（送風）を図る手段と、複数の植栽パネル１を繋いで行う、実際の状況の一例を示した各図であり、以下に説明する。
【００３５】
即ち、第１の植栽パネル１と、次の第２の植栽パネル１とは、連結パイプ１０で繋ぐ、例えば、この連結パイプ１０で、第１の植栽パネル１の端部１ｃの空気道２と、次の第２の植栽パネル１の隣接する端部１ｄの空気道２とを繋ぐ、これにより、第１の植栽パネル１の空気道２にパイプ５より導入された空気は、連結パイプ１０を介して、第２の植栽パネル１の空気道２にスムースに導入される。そして、図示しない、第２の植栽パネル１の空気道２と、次の第３の植栽パネル１の空気道２とは、次の連結パイプ１０で繋がっている。従って、前述と同様に、第２の植栽パネル１の空気道２に連結パイプ１０より導入された空気は、次の連結パイプ１０を介して、第３の植栽パネル１の空気道２にスムースに導入される。
【００３６】
以上の方法で複数、第１の植栽パネル１の空気道２と、第ｎの植栽パネル１の空気道２とが連設される。図示しない、例えば、ポンプとか配液機構とかの手段のパワーにより適宜の数の植栽パネル１が連設される。なお、空気の温度の管理は、例えば、冷暖房機（図示せず）で行うが、これに限定されない。
【００３７】
以上、本発明の好ましい実施形態（第１実施例と第２実施例）について説明したが、本発明は係る特定の実施形態に限定されるものではなく、本発明には、特許請求の範囲に記載された発明とその均等の範囲の構成（技術内容）は含まれる。
【符号の説明】
【００３８】
１  植栽パネル
１ａ  表面
１ｂ  裏面        
１ｃ  端面
１ｄ  端面
１００  パネル本体
１０１  挿入孔
２  空気道
３  フィルムシート
３０  不織性シート
３ａ  表面
３０ａ  表面
３ｂ  裏面
３０ｂ  裏面
３００空気孔
５  パイプ
６  開口
１０  連結パイプ
Ａ  栽培床
Ｂ  養液
Ｃ  植物
Ｃ１  葉面
Ｄ  ウレタンマット
【図１】
2019146540.tif 000003
【図２】
2019146540.tif 000004
【図３】
2019146540.tif 000005
【図４】
2019146540.tif 000006
【図５】
2019146540.tif 000007
【図６−１】
2019146540.tif 000008
【図６−２】
2019146540.tif 000009
【図７−１】
2019146540.tif 000010
【図７−２】
2019146540.tif 000011
【図７−３】
2019146540.tif 000012
【図７−４】
2019146540.tif 000013